(57)【要約】【課題】プリンタ等の画像形成装置およびそのジョブ処理方法に関し、ユーザが現在のジョブ実行状況を容易に把握可能とし、把握した状況に基づいて自身のジョブの出力方法や時期を変更可能とする。【解決手段】ハードウェア負荷計測部１１４は、ユーザにより投入された対象ジョブに対して、対象ジョブの実行対象となる機能に対応するハードウェアの負荷の状況を計測する。ジョブ実行状況解析部１１５は、対象ジョブの実行状況を解析する。システム負荷判定部１１６は、ハードウェア負荷計測部１１４が計測した負荷の状況とジョブ実行状況解析部１１５が解析した対象ジョブの実行状況とに基づいて、現在のシステム負荷を判定する。表示制御部１１７（対話処理部）は、システム負荷判定部１１６が現在のシステム負荷が所定の閾値を超えたと判定した場合に、例えば操作パネル（表示部）１１８を介してユーザに、対象ジョブの現在の実行状況を表示するとともに、ユーザに対話的に対象ジョブの実行態様を変更させる対話処理を実行する。【選択図】図１
2018043387.tif 000002
【特許請求の範囲】
【請求項１】
ユーザにより投入された対象ジョブに対して、前記対象ジョブの実行対象となる機能に対応するハードウェアの負荷の状況を計測するハードウェア負荷計測部と、
前記対象ジョブの実行状況を解析するジョブ実行状況解析部と、
前記ハードウェア負荷計測部が計測した負荷の状況と前記ジョブ実行状況解析部が解析した前記対象ジョブの実行状況とに基づいて、現在のシステム負荷を判定するシステム負荷判定部と、
前記システム負荷判定部が現在のシステム負荷が所定の閾値を超えたと判定した場合に、前記ユーザに、前記対象ジョブの現在の実行状況を表示するとともに、前記ユーザに対話的に前記対象ジョブの実行態様を変更させる対話処理を実行する対話処理部と、
を有する画像形成装置。
【請求項２】
前記対話処理部は、前記システム負荷判定部が現在のシステム負荷が所定の閾値を超えたと判定した場合であって、前記対象ジョブ中に同一画像形成対象が複数存在する場合に、前記同一画像形成対象が複数存在する対象区間ページを所定のジョブ形式に書き換えて外部出力することを促す対話画面を前記ユーザに表示し、前記ユーザが前記外部出力を指示した場合に前記対象ジョブにおける前記対象区間ページを前記所定のジョブ形式に書き換えて外部出力する、請求項１に記載の画像形成装置。
【請求項３】
前記外部出力は、前記画像形成装置に接続されるリムーバブルディスクへの出力、又は前記画像形成装置が接続されるネットワークを介して他の画像形成装置への出力のいずれかである、請求項２に記載の画像形成装置。
【発明の詳細な説明】
【技術分野】
【０００１】
本発明は、プリンタ等の画像形成装置に関する。
【背景技術】
【０００２】
パーソナルコンピュータ（以下「ＰＣ」と呼ぶ）などの端末装置から、ネットワークを介してジョブを投入でき、プリンタ機能の他に、コピー、ファックス、スキャナ等の複合機能を備えたマルチファンクションプリンタ（以下「ＭＦＰ」と呼ぶ）が普及している。
【０００３】
このようなＭＦＰにおいて、ネットワークを介して複数のユーザが、個々の端末装置から当該ＭＦＰに集中して、ジョブの実行を指示するジョブデータを送信する場合がある。この場合、ＭＦＰの使用形態としては、ユーザの使用目的に応じて様々なものがあり、数ページ程度のデータ容量の小さな一般的な使用形態であったり、１つのジョブのデータ容量や印刷枚数が非常に大きいような使用形態があったりする。
【０００４】
その場合に、実際に印刷の指示をかけた場合に、多数のさまざまなジョブが混在し、ＭＦＰの資源が競合してしまうことで、ジョブの処理に想定しているよりも多くの時間がかかってしまったり、印刷が会議に間に合わないというような事態が起こりえる。
【０００５】
このような課題に対して従来、印刷指定時刻に印刷不可状態であったり予め指定された印刷完了時間までに印刷が完了できない場合に、そのジョブに対して予め設定されている印刷不可状態対応処理や別の印刷設定に自動的に変更する技術が知られている（例えば特許文献１又は２）。
【０００６】
また従来、ジョブを実行する機能パックに対し、必要とするジョブ実行量を問い合せ、回答されたジョブ実行量に基づき、ジョブが必要とするジョブ実行量を算出して許可要求として出力し、許可されたジョブ実行量の範囲でジョブを連続して実行することにより、ジョブの実行速度の低下を抑止した技術が知られている（例えば特許文献３）。
【先行技術文献】
【特許文献】
【０００７】
【特許文献１】特開２０１２−３５４５８号公報
【特許文献２】特開２０１２−１０１３９０号公報
【特許文献３】特開２０１２−２２６５３７号公報
【発明の概要】
【発明が解決しようとする課題】
【０００８】
しかしながら、上述の従来技術はいずれも、ジョブ実行が停滞又は混雑した場合に自動的に他の設定に変更したり、あるいは予めジョブ実行が停滞しないように制御を行うものである。従って、例えばジョブ実行が停滞又は混雑した場合に個々のユーザが選択できる自由度が少なく、場合によってはユーザが所望する処理の実行に非常に時間がかかってしまったりする場合があった。
【０００９】
そこで、本発明は、ユーザが現在のジョブ実行状況を容易に把握可能とし、把握した状況に基づいて自身のジョブの出力方法や時期を変更可能とすることを目的とする。
【課題を解決するための手段】
【００１０】
上記目的を達成するために、第１の発明は、ユーザにより投入された対象ジョブに対して、対象ジョブの実行対象となる機能に対応するハードウェアの負荷の状況を計測するハードウェア負荷計測部と、対象ジョブの実行状況を解析するジョブ実行状況解析部と、ハードウェア負荷計測部が計測した負荷の状況とジョブ実行状況解析部が解析した対象ジョブの実行状況とに基づいて、現在のシステム負荷を判定するシステム負荷判定部と、システム負荷判定部が現在のシステム負荷が所定の閾値を超えたと判定した場合に、ユーザに、対象ジョブの現在の実行状況を表示するとともに、ユーザに対話的に対象ジョブの実行態様を変更させる対話処理を実行する対話処理部と、を有するものである。
【００１１】
また、第２の発明は、第１の発明において、対話処理部は、システム負荷判定部が現在のシステム負荷が所定の閾値を超えたと判定した場合であって、対象ジョブ中に同一画像形成対象が複数存在する場合に、同一画像形成対象が複数存在する対象区間ページを所定のジョブ形式に書き換えて外部出力することを促す対話画面をユーザに表示し、ユーザが外部出力を指示した場合に対象ジョブにおける対象区間ページを所定のジョブ形式に書き換えて外部出力するようにしたものである。
【００１２】
また、第３の発明は、第２の発明において、外部出力は、画像形成装置に接続されるリムーバブルディスクへの出力、又は画像形成装置が接続されるネットワークを介して他の画像形成装置への出力のいずれかであるようにしたものである。
【００１３】
また、第１の発明において、ジョブ実行状況解析部は、対象ジョブの実行終了予測時間を算出し、対話処理部は、システム負荷判定部が現在のシステム負荷が所定の閾値を超えたと判定した場合に、対象ジョブの実行終了予測時間をユーザに表示するとともに、対象ジョブを実行可能な空き時間を検索し、対象ジョブを空き時間に実行させることを促す対話画面をユーザに表示し、ユーザが対象ジョブを空き時間に実行させることを指示した場合に対象ジョブの実行時間を空き時間に移動させるようにしても良い。
【００１４】
また、第１の発明において、対話処理部は、システム負荷判定部が現在のシステム負荷が所定の閾値を超えたと判定した場合であって、対象ジョブがカラー印刷を指定していた場合に、対象ジョブの指定をモノクロ印刷に促す対話画面をユーザに表示し、ユーザが対象ジョブのモノクロ印刷を指示した場合に対象ジョブをモノクロ印刷に変更するようにしても良い。
【００１５】
また、第１の発明において、対話処理部は、システム負荷判定部が現在のシステム負荷が所定の閾値を超えたと判定した場合であって、対象ジョブがインラインプリプレスを指定していた場合に、対象ジョブにおけるインラインプリプレスの指定の中止を促す対話画面をユーザに表示し、ユーザが対象ジョブにおけるインラインプリプレスの指定の中止を指示した場合に対象ジョブにおけるインラインプリプレスの指定を中止するようにしても良い。
【００１６】
また、上記発明において、対話処理部は、システム負荷判定部が現在のシステム負荷が所定の閾値を超えたと判定した場合に、画像形成装置が備えるディスプレイ部を介して、ユーザに対する対話処理を実行するようにしても良い。
【００１７】
また、上記発明において、対話処理部は、システム負荷判定部が現在のシステム負荷が所定の閾値を超えたと判定した場合に、画像形成装置が接続されるネットワークを介してユーザが操作する端末装置のディスプレイ部を介して、ユーザに対する対話処理を実行するようにしても良い。
【発明の効果】
【００１８】
第１の発明によれば、ユーザが現在のジョブ実行状況を容易に把握することが可能となり、把握した状況に基づいて自身のジョブの出力方法や時期を変更することが可能となる。第２の発明によれば、同一画像形成対象が複数存在する対象区間ページを所定のジョブ形式に書き換えて外部出力して他の画像形成装置に委ねることにより、対象ジョブの実行態様を柔軟に変更することが可能となる。第３の発明によれば、第２の発明における外部出力先を、リムーバブルディスクやネットワークを介して接続される他の画像形成装置にして、外部出力を柔軟に行うことが可能となる。
【００１９】
その他の発明によれば、対象ジョブの実行終了予測時間を容易に把握でき、他の空き時間に柔軟に変更することが可能となる。また、ジョブの混雑具合に応じて、対象ジョブの実行態様を、カラー印刷からモノクロ印刷に柔軟に変更することが可能となる。また、ジョブの混雑具合に応じて、インラインプリプレスの指定を中止し、対象ジョブの実行態様を柔軟に変更することが可能となる。
【００２０】
また、上記発明におけるユーザに対する対話処理を、画像形成装置に備え付けのディスプレイ部および／またはネットワークを介して接続されるユーザの端末装置のディスプレイ部を介して実行できるようにすれば、上記各種の設定変更を簡単に行うことが可能となる。
【図面の簡単な説明】
【００２１】
【図１】本実施形態のブロック構成例を示す図である。
【図２】本実施形態における各種制御データの例を示す図である。
【図３】ジョブ制御処理の例を示すフローチャートである。
【図４】システム負荷計測処理の詳細例を示すフローチャートである。
【図５】ジョブ実行状況解析処理の詳細例を示すフローチャートである。
【図６】対話処理の詳細例を示すフローチャートである。
【図７】対話画面例を示す図である。
【発明を実施するための形態】
【００２２】
以下、図面に従って本発明の実施形態を説明する。図１は、本実施形態のブロック構成例を示す図である。画像形成装置１００は、ＬＡＮやＵＳＢのネットワークを介して、＃１、＃２、・・・、＃Ｎとして例示されるユーザ端末装置１２０と接続される。ユーザ端末装置１２０は、例えばパーソナルコンピュータ（＃１）、スマートフォン（＃２）、タブレット端末（＃Ｎ）などである。ユーザ端末装置１２０は、その装置上で実行されるアプリケーションプログラムから、プリンタドライバソフトウェアを介して、画像形成装置１００に、印刷やスキャン、ファックス送信などの画像形成命令を出力する。
【００２３】
画像形成装置１００は、制御部１０１、外部受信Ｉ／Ｆ（インタフェース）解析部１０２、データ受信部１０３、ジョブデータ解析部１０４、例えばハードディスク記憶装置（ＨＤＤ）である外部記憶装置１０５を有する。また、画像形成装置１００は、印刷、コピー時の給紙、用紙の搬送、排紙を制御する給紙制御部１０６、用紙搬送部１０７、及び排紙制御部１０８を有する。また、画像形成装置１００は、ＷＷＷ（Ｗｏｒｌｄ  Ｗｉｄｅ  Ｗｅｂ）サーバ部１０９及び操作パネル（表示部）１１８を有する。
【００２４】
制御部１０１は、画像形成部１１０、記憶制御部１１１、ジョブ制御部１１２、計画管理部１１３、ハードウェア負荷計測部１１４、ジョブ実行状況解析部１１５、システム負荷判定部１１６、及び表示制御部１１７（対話処理部）を有する。
【００２５】
以上の実施形態の構成において、ユーザ端末装置１２０から出力された画像形成命令の指示は、ＬＡＮ又はＵＳＢ等のネットワークを介して、外部受信Ｉ／Ｆ解析部１０２からデータ受信部１０３に入力する。ここで受信されたデータは更にジョブデータ解析部１０４に送られ、画像形成命令としてのジョブデータが解析される。その解析結果に基づいて、制御部１０１内の画像形成部１１０が、指定された機能、例えば印刷又はファックス送信などのための画像データを形成する。この画像データは、記憶制御部１１１の制御に基づいて、外部記憶装置１０５に一時保持される。この画像データは、ジョブ制御部１１２によって対応するジョブの実行順序等が制御され、更に、計画管理部１１３によって実行時刻等が制御されて、適切なタイミングで、画像形成（印刷、ファックス、スキャン）等の動作が実行される。
【００２６】
制御部１０１内のハードウェア負荷計測部１１４は、ユーザにより投入された対象ジョブに対して、対象ジョブの実行対象となる機能に対応するハードウェアの負荷の状況を計測する。ここでいうハードウェアは、例えば制御部１０１を構成するＣＰＵ（中央演算処理装置）である。次に、制御部１０１内のジョブ実行状況解析部１１５は、対象ジョブの実行状況を解析する。次に、制御部１０１内のシステム負荷判定部１１６は、ハードウェア負荷計測部１１４が計測した負荷の状況とジョブ実行状況解析部１１５が解析した対象ジョブの実行状況とに基づいて、現在のシステム負荷を判定する。更に、制御部１０１内の表示制御部１１７は、システム負荷判定部１１６が現在のシステム負荷が所定の閾値を超えたと判定した場合に、操作パネル（表示部）１１８を介してユーザに、又はＷＷＷサーバ部１０９からＬＡＮを介してユーザ端末装置１２０のディスプレイに、対象ジョブの現在の実行状況を表示するとともに、ユーザに対話的に対象ジョブの実行態様を変更させる対話処理を実行する。
【００２７】
図２は、本実施形態における各種制御データの例を示す図である。これらの制御データは、制御部１０１内の特には図示しないメモリに一時記憶される。制御データとしては、ＣＰＵ負荷（％）２０１、ジョブ保持メモリ使用量（％）、ジョブに掛かる機能数２０３、ジョブのファイルサイズ２０４、ジョブのシート数２０５、消耗品残量２０６、システム監視対象時間（ｔ）２０７、及びサンプリング回数（ｎ）２０８が記憶される。
【００２８】
図３は、制御部１０１が実行するジョブ制御処理の例を示すフローチャートである。この処理は、制御部１０１を構成する特には図示しないＣＰＵが、特には図示しないメモリに記憶されたジョブ制御処理プログラムを実行する処理である。
【００２９】
まず、制御部１０１は、システム稼働中か否か、すなわちユーザ端末装置１２０からジョブが投入されて画像形成処理を実行している状態か否かを判定する（図３のステップＳ３０１）。ステップＳ３０１の判定がＮＯならば、制御部１０１は、稼働状態になるまで待機する。
【００３０】
システムが稼働状態になってステップＳ３０１の判定がＹＥＳになると、制御部１０１は、システム負荷計測処理を実行する（図３のステップＳ３０２）。
【００３１】
図４は、図３のステップＳ３０２のシステム負荷計測処理の詳細例を示すフローチャートである。制御部１０１はまず、図１のハードウェア負荷計測部１１４の機能に対応するＣＰＵ負荷計測を実行する（図４のステップＳ４０１）。ここでは、制御部１０１は、ＣＰＵの実行状況を所定のＣＰＵ負荷計測プログラムを実行させることにより計測し、現在ＣＰＵの稼働率が何％かを取得し、図２のＣＰＵ負荷（％）２０１のデータとしてメモリに保持する。
【００３２】
次に、制御部１０１は、図１のジョブ実行状況解析部１１５の機能に対応するジョブ実行状況解析処理を実行する（図４のステップＳ４０２）。図５は、図４のステップＳ４０２のジョブ実行状況解析処理の詳細例を示すフローチャートである。
【００３３】
図５において、まず制御部１０１は、ジョブを保持している特には図示しないメモリにおいてジョブがどのくらいの割合で滞留しているかをパーセント値で取得し、図２のジョブ保持メモリ使用量（％）２０２のデータとして保持する（図５のステップＳ５０１）。
【００３４】
次に、制御部１０１は、現在滞留しているジョブに掛かる機能数を取得し、図２のジョブに掛かる機能数２０３のデータとして保持する（図５のステップＳ５０２）。
【００３５】
次に、制御部１０１は、滞留している特定ユーザ自身の対象ジョブとその他のジョブに関するジョブファイルのサイズを取得し、図２のジョブのファイルサイズ２０４として保持する（図５のステップＳ５０３）。
【００３６】
次に、制御部１０１は、滞留している特定ユーザ自身の対象ジョブとその他のジョブに関するジョブのシート数（ページ数）を取得し、図２のジョブのシート数２０５として保持する（図５のステップＳ５０４）。
【００３７】
最後に、制御部１０１は、対象ジョブのジョブ実行終了予測時間を算出し、特には図示しないメモリ上のデータとして保持する（図５のステップＳ５０５）。
【００３８】
制御部１０１は、以上の図５のフローチャートで示される図４のステップＳ４０２のジョブ実行状況解析処理を終了した後、画像形成装置１００内の特には図示しないセンサを介して、消耗品残量（例えばトナー残量等）を計測し、図２の消耗品残量２０６のデータとして保持する（図４のステップＳ４０３）。
【００３９】
制御部１０１は、以上の図４のフローチャートで示される図３のステップＳ３０２のシステム負荷計測処理を終了すると、現在のシステム負荷が所定の閾値以上になって高い状態となっているか否かを判定する（図３のステップＳ３０３）。例えば、図２のデータとして得られているＣＰＵ負荷（％）２０１が所定のパーセント閾値以上ならばステップＳ３０３の判定がＹＥＳとなる。或いは、図２のデータとして得られているジョブ保持メモリ使用量（％）２０２、ジョブのファイルサイズ２０４、又はジョブのシート数２０５がそれぞれ所定のパーセント閾値以上ならばステップＳ３０３の判定がＹＥＳとなる。或いは、これらの制御データ値が所定のパーセント閾値以下であっても、図２のデータとして得られているジョブに掛かる機能数２０３が所定数以上であればステップＳ３０３の判定がＹＥＳとなる。あるいは、消耗品残量２０６が、所定数以下である場合にもステップＳ３０３の判定はＹＥＳとなる。図２の各種制御データの閾値判定がそれぞれ組み合わせられて例えば重み付け加算され、その結果がさらに閾値判定されたシステム負荷が判定されるようにしてもよい。
【００４０】
ステップＳ３０３の判定がＮＯならば、制御部１０１は、ステップＳ３０１の処理に戻る。一方、ステップＳ３０３の判定がＹＥＳとなってシステムの負荷が高いと判定されると、制御部１０１は、図１の表示制御部１１７の機能に対応する、ユーザに対する対話処理を実行する（図３のステップＳ３０４）。図６は、図３のステップＳ３０４の対話処理の詳細例を示すフローチャートである。ユーザは、別途、操作パネル（表示部）１１８上でログイン操作を行うこととし、以下の説明はログイン成功後の対話処理となる。
【００４１】
制御部１０１はまず、図５のステップＳ５０５で算出されたジョブ実行終了予測時間を画像形成装置１００の操作パネル（表示部）１１８に表示する（図６のステップＳ６０１）。図７は、操作パネル（表示部）１１８に表示される対話画面７００の例を示す図であり、ステップＳ６０１の処理により、例えば７０１として示されるメッセージが表示される。このとき、ユーザが操作パネル（表示部）１１８上で、メッセージ７０１の右横の「継続」ボタンをタップすると、制御部１０１は、現在の対象ジョブをそのまま継続させる。
【００４２】
次に、制御部１０１は、図１の計画管理部１１３に問い合わせることにより、対象ジョブを実行可能な空き時間を検索する（図６のステップＳ６０２）。そして、制御部１０１は、空き時間へ対象ジョブを移動させることを提案するメッセージを操作パネル（表示部）１１８に表示する（図６のステップＳ６０３）。ステップＳ６０２及びＳ６０３の処理により、例えば図７の７０２として示されるメッセージが表示される。このとき、ユーザが、操作パネル（表示部）１１８上で、メッセージ７０２の右横の「変更」ボタンをタップすると、制御部１０１は、計画管理部１１３を介して、対象ジョブがステップＳ６０２で検索した空き時間に実行されるように、対象ジョブの実行スケジュールを変更する。
【００４３】
ステップＳ６０１からＳ６０３の制御処理により、対象ジョブの実行終了予測時間を容易に把握でき、他の空き時間に柔軟に変更することが可能となる。
【００４４】
次に、制御部１０１は、対象ジョブにおいて、フルカラー印刷指定がなされているか否かを判定する（図６のステップＳ６０４）。ステップＳ６０４の判定がＹＥＳならば、制御部１０１はまず、対象ジョブをモノクロ印刷に変更した場合の実行時間を算出する（図６のステップＳ６０５）。そして、制御部１０１は、対象ジョブをモノクロ印刷に変更することを促す提案メッセージを操作パネル（表示部）１１８に表示する（図６のステップＳ６０６）。ステップＳ６０５及びＳ６０６の処理により、例えば図７の７０３として示されるメッセージが表示される。このとき、ユーザが、操作パネル（表示部）１１８上で、メッセージ７０３の右横の「変更」ボタンをタップすると、制御部１０１は、図１のジョブ制御部１１２を介して、対象ジョブがモノクロ印刷を実行するように、対象ジョブの設定を変更する。ステップＳ６０４の判定がＮＯならば、制御部１０１は、ステップＳ６０５及びＳ６０６の処理はスキップする。
【００４５】
ステップＳ６０４からＳ６０６の制御処理により、ジョブの混雑具合に応じて、対象ジョブの実行態様を、カラー印刷からモノクロ印刷に柔軟に変更することが可能となる。
【００４６】
次に、制御部１０１は、対象ジョブにおいて、インラインプリプレス（例えば折り、封入、封緘を実現する機能）の指定がなされているか否かを判定する（図６のステップＳ６０７）。ステップＳ６０７の判定がＹＥＳならば、制御部１０１はまず、対象ジョブにおいてインラインプリプレス処理を中止した場合の実行時間を算出する（図６のステップＳ６０８）。そして、制御部１０１は、対象ジョブに関するインラインプリプレス処理を中止することを促す提案メッセージを操作パネル（表示部）１１８に表示する（図６のステップＳ６０９）。ステップＳ６０８及びＳ６０９の処理により、例えば図７の７０４として示されるメッセージが表示される。このとき、ユーザが、操作パネル（表示部）１１８上で、メッセージ７０４の右横の「中止」ボタンをタップすると、制御部１０１は、図１のジョブ制御部１１２を介して、対象ジョブでのインラインプリプレス処理を中止するように、対象ジョブの設定を変更する。ステップＳ６０７の判定がＮＯならば、制御部１０１は、ステップＳ６０８及びＳ６０９の処理はスキップする。
【００４７】
ステップＳ６０７からＳ６０９の制御処理により、ジョブの混雑具合に応じて、インラインプリプレスの指定を中止し、対象ジョブの実行態様を柔軟に変更することが可能となる。
【００４８】
次に、制御部１０１は、対象ジョブにおいて、同一画像形成対象が連続、非連続にかかわらず複数の区間（以下「対象区間」と呼ぶ）に渡って存在するか否かを判定する（図６のステップＳ６１０）。ステップＳ６１０の判定がＹＥＳならば、制御部１０１はまず、データ変換部１１９の機能に対応する処理を実行し、対象区間ページのジョブ形式を外部の例えば孔版印刷機で処理できる形式に変換する（図６のステップＳ６１１）。その後、制御部１０１は、対象ジョブの対象区間ページに関する外部出力を促す提案メッセージを操作パネル（表示部）１１８に表示する（図６のステップＳ６１２）。ステップＳ６１１及びＳ６１２の処理により、例えば図７の７０５として示されるメッセージが表示される。このとき、ユーザが、操作パネル（表示部）１１８上で、メッセージ７０５の右横の「出力」ボタンをタップすると、制御部１０１は、対象ジョブの対象区間ページに関してステップＳ６１１でデータ変換したデータを、画像形成装置１００に接続されている特には図示しないＵＳＢメモリ等のリムーバブルディスクに外部出力する。ステップＳ６１０の判定がＮＯならば、制御部１０１は、ステップＳ６１１及びＳ６１２の処理はスキップする。
【００４９】
ステップＳ６１０からＳ６１２の制御処理により、同一画像形成対象が複数存在する対象区間ページを所定のジョブ形式に書き換えて外部出力して他の例えば孔版印刷機等の画像形成装置に委ねることにより、対象ジョブの実行態様を柔軟に変更することが可能となる。例えば、数万から数十万枚を印刷する場合のある一部のページ範囲という状況で、その中でもあるページからあるページまでの範囲ではモノクロで十分というシートの固まりがある場合は、リムーバブルディスクに移して、孔版印刷機で実行させるといった柔軟な対応が可能となる。
【００５０】
なお、リムーバブルディスクではなく、画像形成装置１００がＬＡＮ等で接続される他の画像形成装置に直接、対象区間ページが出力されるようにしてもよい。
【００５１】
以上、図６のフローチャートで示される図３のステップＳ３０４の対話処理が終了すると、制御部１０１は、今回のジョブ制御処理を終了する。
【００５２】
以上説明した実施形態では、対話処理は、画像形成装置１００に備え付けの操作パネル（表示部）１１８を介して、ユーザにログイン操作を行わせて実行されている。これに対して、図１の表示制御部１１７の機能に対応する図６のフローチャートで示される図３のステップＳ３０４の対話処理が、図１のＷＷＷサーバ部１０９を介して、ユーザ端末装置１２０のブラウザ画面に表示させられて実行されるようにしてもよい。この場合、対話処理のための表示データやユーザにより指定されるデータは、ＷＷＷサーバ部１０９の制御下で、ＨＴＴＰ（ハイパーテキストトランスファプロトコル）の通信プロトコルに従って、ユーザ端末装置１２０と画像形成装置１００との間で通信される。
【符号の説明】
【００５３】
１００  画像形成装置
１０１  制御部
１０２  外部受信Ｉ／Ｆ解析部
１０３  データ受信部
１０４  ジョブデータ解析部
１０５  外部記憶装置
１０６  給紙制御部
１０７  用紙搬送部
１０８  排紙制御部
１０９  ＷＷＷサーバ部
１１０  画像形成部
１１１  記憶制御部
１１２  ジョブ制御部
１１３  計画管理部
１１４  ハードウェア負荷計測部
１１５  ジョブ実行状況解析部
１１６  システム負荷判定部
１１７  表示制御部
１１８  操作パネル（表示部）
１１９  データ変換部
１２０  ユーザ端末装置
２０１  ＣＰＵ負荷（％）
２０２  ジョブ保持メモリ使用量（％）
２０３  ジョブに掛かる機能数
２０４  ジョブのファイルサイズ
２０５  ジョブのシート数
２０６  消耗品残量
【図１】
2018043387.tif 000003
【図２】
2018043387.tif 000004
【図３】
2018043387.tif 000005
【図４】
2018043387.tif 000006
【図５】
2018043387.tif 000007
【図６】
2018043387.tif 000008
【図７】
2018043387.tif 000009